(57)【要約】【課題】ホースリール構造を提供する。【解決手段】ホースリール構造は背面ストッパー、正面ストッパーおよび巻き筒部を備える。ホースの一端に所定長さのホースの一部分を確保し、続いて確保したホースの一部分を背面ストッパーのホース掛け部に巻き付けることによってホースを巻き取り、ホースの一部分を確保する効果を達成することができる【選択図】図１
2019112219.tif 000002
【特許請求の範囲】
【請求項１】
背面ストッパー、正面ストッパー、および両者の間に連結される巻き筒部を備え、
前記背面ストッパーは、第一貫通孔およびホース掛け部を有し、
前記第一貫通孔は背面ストッパーおよび前記巻き筒部を連結した一側から前記背面ストッパーのボディーを貫通し、
前記ホース掛け部は前記巻き筒部に相対する前記背面ストッパーの別の一側に突出して形成されることを特徴とする、
ホースリール構造。
【請求項２】
前記背面ストッパーは、さらに収納空間を有し、前記収納空間は前記巻き筒部の別の一側に相対し、前記背面ストッパーの前記ボディーに凹んで形成され、前記第一貫通孔は前記収納空間に繋がり、前記ホース掛け部は前記収納空間の内周壁面に突出して形成されることを特徴とする請求項１に記載のホースリール構造。
【請求項３】
前記背面ストッパーは、さらに位置制限部を有し、前記位置制限部は前記背面ストッパーおよび前記巻き筒部を連結した一側から前記収納空間の前記内周壁面の方向へ凹んで形成され、かつ前記第一貫通孔と繋がることを特徴とする請求項２に記載のホースリール構造。
【請求項４】
前記背面ストッパーは、さらに嵌合部を有し、前記嵌合部は前記背面ストッパーの前記収納空間の前記内周壁面に突出して形成され、前記第一貫通孔および前記位置制限部に近い位置に据えられることを特徴とする請求項３に記載のホースリール構造。
【請求項５】
前記背面ストッパーは、さらに位置制限部を有し、前記位置制限部は前記背面ストッパーおよび前記巻き筒部を連結した一側に凹んで形成され、かつ前記第一貫通孔に繋がることを特徴とする請求項１に記載のホースリール構造。
【請求項６】
前記背面ストッパーは、さらに嵌合部を有し、前記嵌合部は前記巻き筒部に相対する前記背面ストッパーの別の一側に突出して形成され、前記第一貫通孔および前記位置制限部に近い位置に据えられることを特徴とする請求項５に記載のホースリール構造。
【請求項７】
前記背面ストッパーは、さらに嵌合部を有し、前記嵌合部は前記巻き筒部に相対する前記背面ストッパーの別の一側に突出して形成され、前記第一貫通孔に近い位置に据えられることを特徴とする請求項１に記載のホースリール構造。
【請求項８】
前記背面ストッパーは、さらに第二貫通孔を有し、前記第二貫通孔は前記背面ストッパーおよび前記巻き筒部を連結した一側から前記背面ストッパーの前記ボディーを貫通し、前記収納空間に繋がることを特徴とする請求項１から請求項７のいずれか一項に記載のホースリール構造。
【請求項９】
前記背面ストッパーは、さらに少なくとも一つの前記収納空間に繋がる凹状欠け口を有し、前記収納空間と外部は少なくとも一つの前記凹状欠け口によって繋がることを特徴とする請求項８に記載のホースリール構造。
【請求項１０】
前記背面ストッパーは、さらに少なくとも一つの前記収納空間に繋がる凹状欠け口を有し、前記収納空間と外部は少なくとも一つの前記凹状欠け口によって繋がることを特徴とする請求項１から請求項７のいずれか一項に記載のホースリール構造。
【発明の詳細な説明】
【技術分野】
【０００１】
本発明は、ホースリールの技術に関し、詳しくはホースを巻き取り、ホースの一部分を確保することができるホースリール構造に関するものである。
【背景技術】
【０００２】
一般の使用済ホースを収納する際、ホース全体をリング状に巻き取ることが一般的である。しかしながら、リング状のホースは形がなかなか整わないため、見た目があまりよくない。一方、ホースをきちんと納めないと、ホースに残留した水が噴出することがよくある。
【０００３】
それに対し、特許文献１に開示されたホースリールは、ホース収納ドラム（該案の図１参照）が本体（該案の図４参照）が前側壁体（該案の図１０参照）、後側壁体（該案の図１１）およびその間に形成された中空状の巻き筒部（該案の図１２参照）から構成される。ホース（該案の図２参照）は巻き筒部に巻き付けられる。
ホース（該案の図２参照）を巻き取る際、ホースは一つの接続部（該案の図６参照）に接続された一部分が別の一つの接続部（該案の図９参照）に接続された一部分に圧迫されるため、そのうちの一端に確保された一部分の長さが足りない。再びホースを使用する際、巻いたホース（該案の図２参照）全体を引っ張り出さないと使えないため、使用上不便である。
【０００４】
以上より、ホースの確保された一部分の長さが足りないという問題を効果的に解決するために、ホースリール構造またはその部品を改良することが本発明の課題である。
【先行技術文献】
【特許文献】
【０００５】
【特許文献１】特許第３０５７０５２号公報
【発明の概要】
【発明が解決しようとする課題】
【０００６】
本発明は、ホースを巻き取り、ホースの一部分を確保することができるホースリール構造を提供することを主な目的とする。
【課題を解決するための手段】
【０００７】
上述した課題を解決するため、ホースリール構造は背面ストッパー、正面ストッパーおよび両者の間に連結される巻き筒部を備える。背面ストッパーは第一貫通孔およびホース掛け部を有する。ホースは一端が第一貫通孔を貫通してホース掛け部に据えられ、他端が巻き筒部に据えられる。
【図面の簡単な説明】
【０００８】
【図１】本発明の第１実施形態によるホースリール構造を示す背面側斜視図である。
【図２】本発明の第１実施形態によるホースリール構造を示す正面側斜視図である。
【図３】本発明の第１実施形態によるホースリール構造の一部分を示す斜視図である。
【図４】図２中の４−４線に沿った断面図である。
【図５】本発明の第２実施形態によるホースリール構造の一部分を示す斜視図である。
【発明を実施するための形態】
【０００９】
（第１実施形態）
図１から図４に示すように、本発明の第１実施形態によるホースリール構造１０はホースを巻き取り、ホースの接続部を掛け、ホースの一部分を確保することができ、相互に対応する背面ストッパー２０および正面ストッパー３０と、両者の間に連結される巻き筒部４０とを備える。
【００１０】
背面ストッパー２０は、収納空間２１、第一貫通孔２３、第二貫通孔２４、ホース掛け部２５、位置制限部２７、二つの凹状欠け口２８および嵌合部２９を有する。
【００１１】
収納空間２１は、巻き筒部４０の別の一側に相対し、背面ストッパー２０のボディーに凹んで形成される。第一貫通孔２３および第二貫通孔２４は背面ストッパー２０および巻き筒部４０を連結した一側から背面ストッパー２０のボディーを貫通し、それぞれ収納空間２１に繋がる。比較的好ましい場合、第一貫通孔２３および第二貫通孔２４は相対的に配置される。詳しく言えば、第一貫通孔２３の孔径の大きさはホース５０の一端の接続部が通れるくらいである。
【００１２】
ホース掛け部２５は、背面ストッパー２０収納空間２１の内周壁面２１２に突出して形成される。詳しく言えば、ホース掛け部２５は背面ストッパー２０の第二貫通孔２４を貫通して巻き筒部４０に連結される。
【００１３】
二つの凹状欠け口２８は、背面ストッパー２０の収納空間２１を外部に接触させる。本実施形態は二つの凹状欠け口部２８を相対させるように配置するが、これに限らず、少なくとも一つの凹状欠け口２８さえ配置すればよい。
【００１４】
位置制限部２７は、背面ストッパー２０および巻き筒部４０を連結した一側から収納空間２１の内周壁面２１２の方向へ凹んで形成され、かつ第一貫通孔２３と繋がる。詳しく言えば、位置制限部２７が凹んで形成した円弧度および外径はホース５０の円弧度および外径と同じである。比較的好ましい場合、位置制限部２７はホース５０の湾曲方向に沿って凹む。
【００１５】
嵌合部２９は、Ｃ字型を呈し、背面ストッパー２０の収納空間２１の内周壁面２１２に突出して形成され、第一貫通孔２３および位置制限部２７に近い位置に据えられる。比較的好ましい場合、位置制限部２７と繋がる第一貫通孔２３の開口部は嵌合部２９に対応する。
【００１６】
図１から図４に示すように、第１実施形態によるホースリール構造１０が達成する効果は下記のとおりである。
【００１７】
その一は、ホースの一部分を確保できる効果を有する。
ホース５０を巻き取って収納する際、ホース５０の一端に所定長さの一部分を確保し、続いて確保したホースの一部分を背面ストッパー２０のホース掛け部２５に巻き付ける。ホース掛け部２５に巻き付けたホースの一部分は二つの凹状欠け口２８に収納されるため、収納空間を増加させ、ホース５０の一端に接続された接続部５１とホース５０との接続箇所を背面ストッパー２０の嵌合部２９に嵌め込むことができる。一方、確保されたホース５０の一部分は巻き取られたホース５０の別の一部分に圧迫されることがないため、ホースを使用する際、巻き取られたホース５０全体を引っ張り出すことは必要ではない。つまり、本発明は、ホースの一部分を確保する目的を達成できる。
【００１８】
その二は、ホースを巻き取る効果を有する。
上述したとおり、背面ストッパー２０の第一貫通孔２３からホース５０の別の一端をあらかじめ貫通させる。このときホース５０は第一貫通孔２３を貫通した一部分が位置制限部２７に限定されるため、ホース５０が第一貫通孔２３を貫通して凹んで曲がるという現象は効果的に抑制される。続いて、一端が第一貫通孔２３を貫通したホース５０を巻き筒部４０の外周壁面４０４に巻き付ければ、ホース５０の別の一端に装着された散水ガン５３がぶら下がる状態になる。つまり、本発明はホースを巻き取る目的を達成できる。
【００１９】
（第２実施形態）
図５に示すように、本発明の第２実施形態によるホースリール構造は第１実施形態と同じようにホースを巻き取り、ホースの一部分を確保することができる。第１実施形態との違いは次のとおりである。
【００２０】
背面ストッパー２０Ａのホース掛け部２５Ａは馬蹄形を呈し、巻き筒部（図中未表示）の一側に相対するように背面ストッパー２０Ａに突出して形成される。第一貫通孔２３Ａは背面ストッパー２０Ａおよび巻き筒部を連結した一側から背面ストッパー２０Ａのボディーを貫通する。位置制限部２７Ａは背面ストッパー２０Ａおよび巻き筒部を連結した一側に凹んで形成され、かつ第一貫通孔２３Ａに繋がる。
【００２１】
以上、本発明は、上記実施形態になんら限定されるものではなく、発明の趣旨を逸脱しない範囲において種々の形態で実施可能である。
【符号の説明】
【００２２】
１０  ホースリール構造
２０、２０Ａ  背面ストッパー
２１  収納空間
２１２  内周壁面
２３、２３Ａ  第一貫通孔
２４  第二貫通孔
２５、２５Ａ  ホース掛け部
２７、２７Ａ  位置制限部
２８  凹状欠け口
２９  嵌合部
３０  正面ストッパー
３５  パータン部位
４０  巻き筒部
４０４  外周壁面
５０  ホース
５１  接続部
５３  散水ガン
【図１】
2019112219.tif 000003
【図２】
2019112219.tif 000004
【図３】
2019112219.tif 000005
【図４】
2019112219.tif 000006
【図５】
2019112219.tif 000007